(57)【要約】【課題】ユーザ以外の第３者に対してユーザの体調変化を自動的に通知することができる体温計１０、この体温計１０が備える報処理装置、およびプログラムを提供する。【解決手段】本発明に係る体温計１０は、検温器１１と、この検温器１１と互いにデータ送受信可能に接続された情報処理装置としてのサーバ１２と、を備える。また、サーバ１２は、他の情報処理装置としてのパーソナルコンピュータ１３ａおよび１３ｂを少なくとも含むパーソナルコンピュータ群（以下、ＰＣ群という）１３と互いにデータ送受信可能に接続される。サーバ１２の主制御部は、プログラムに従って、検温器１１から受けたユーザの体温の情報にもとづいてユーザの体調変化を分析し、ユーザの体調に応じてパーソナルコンピュータ１３ａおよび１３ｂを制御することにより他のユーザに対してユーザの体調変化を自動的に通知するとともに、ユーザの体調に応じて周辺機器群１４および自機を制御してユーザの気分を変化させる処理を実行する。【選択図】  図１
2010148689.tif 000002
【特許請求の範囲】
【請求項１】
被検体の体温を計測する婦人用体温計測部を有する検温器と、この検温器と互いにデータ送受信可能に接続された情報処理装置と、を備えた体温計であって、
前記情報処理装置は、
さらに他の情報処理装置と互いにデータ送受信可能に接続されるとともに、
前記検温器から受信した現在の前記被検体の体温の情報を前記体温の計測日時と関連付けて体温履歴情報として記憶しておく体温履歴記憶部と、
前記検温器から受信した現在の前記被検体の体温の情報と前記体温履歴情報とにもとづいて前記被検体の体調を分析する体調分析部と、
前記被検体の体調に応じて前記他の情報処理装置を制御するための設定を記憶した設定記憶部と、
前記他の情報処理装置の利用者に対し前記被検体の体調を通知するように、前記設定記憶部に記憶された前記他の情報処理装置を制御するための設定と前記体調分析部により分析された前記被検体の体調とにもとづいて前記他の情報処理装置を制御する他者通知部と、
を有することを特徴とする体温計。
【請求項２】
前記情報処理装置の前記設定記憶部は、
前記情報処理装置により制御可能に構成された周辺機器を前記被検体の体調に応じて制御するための設定をさらに記憶し、
前記情報処理装置は、
前記被検体の気分を変化させるように、前記設定記憶部に記憶された前記周辺機器を制御するための設定と前記体調分析部により分析された前記被検体の体調とにもとづいて前記周辺機器を制御する周辺機器制御部、
をさらに有する請求項１記載の体温計。
【請求項３】
前記情報処理装置の前記設定記憶部は、
前記被検体の体調に応じて前記情報処理装置の表示部を制御するための設定をさらに記憶し、
前記情報処理装置は、
前記被検体の気分を変化させるように、前記設定記憶部に記憶された前記情報処理装置の表示部を制御するための設定と前記体調分析部により分析された前記被検体の体調とにもとづいて前記情報処理装置の表示部を制御する自機制御部、
をさらに有する請求項１記載の体温計。
【請求項４】
前記検温器は、
前記情報処理装置から受信した前記体温履歴情報および前記体調分析部により分析された前記被検体の体調の少なくとも一方の情報を記憶する記憶部と、
前記記憶部の記憶した情報にもとづく画像を表示する表示部と、
をさらに有する請求項１記載の体温計。
【請求項５】
前記検温器は、複数の被検体により共用されるとともに、
前記被検体の体温を計測するにあたり、前記複数の被検体のそれぞれに固有の認証情報の入力を受け付ける認証部、
をさらに有する請求項１記載の体温計。
【請求項６】
前記検温器と前記情報処理装置とは、
ＵＳＢ規格およびＵＡＲＴシリアル通信規格および独自の有線信号形式からなる有線接続、ならびに、Ｂｌｕｅｔｏｏｔｈ規格およびＩＥＥＥ８０２.１１規格およびＩｒＤＡ規格および独自の無線信号形式からなる無線接続のいずれか一つによりデータ送受信可能に接続された、
請求項１記載の体温計。
【請求項７】
被検体の体温を計測する婦人用体温計測部を有する検温器と互いにデータ送受信可能に接続されるとともに、他の情報処理装置と互いにデータ送受信可能に接続された情報処理装置であって、
前記検温器から受信した現在の前記被検体の体温の情報を前記体温の計測日時と関連付けて体温履歴情報として記憶しておく体温履歴記憶部と、
前記検温器から受信した現在の前記被検体の体温の情報と前記体温履歴情報とにもとづいて前記被検体の体調を分析する体調分析部と、
前記被検体の体調に応じて前記他の情報処理装置を制御するための設定を記憶した設定記憶部と、
前記他の情報処理装置の利用者に対し前記被検体の体調を通知するように、前記設定記憶部に記憶された前記他の情報処理装置を制御するための設定と前記体調分析部により分析された前記被検体の体調とにもとづいて前記他の情報処理装置を制御する他者通知部と、
を備えたことを特徴とする情報処理装置。
【請求項８】
前記設定記憶部は、
前記情報処理装置により制御可能に構成された周辺機器を前記被検体の体調に応じて制御するための設定をさらに記憶し、
前記被検体の気分を変化させるように、前記設定記憶部に記憶された前記周辺機器を制御するための設定と前記体調分析部により分析された前記被検体の体調とにもとづいて前記周辺機器を制御する周辺機器制御部、
をさらに備えた請求項７記載の情報処理装置。
【請求項９】
前記設定記憶部は、
前記被検体の体調に応じて自機の表示部を制御するための設定をさらに記憶し、
前記被検体の気分を変化させるように、前記設定記憶部に記憶された前記自機の表示部を制御するための設定と前記体調分析部により分析された前記被検体の体調とにもとづいて前記情報処理装置の表示部を制御する自機制御部、
をさらに備えた請求項７記載の情報処理装置。
【請求項１０】
前記検温器に対し、前記前記体温履歴情報および前記体調分析部により分析された前記被検体の体調の少なくとも一方の情報を与えるデータ送信部、
をさらに備えた請求項７記載の情報処理装置。
【請求項１１】
前記検温器は、複数の被検体により共用されるとともに、
前記被検体の体温を計測するにあたり、前記複数の被検体のそれぞれに固有の認証情報の入力を受け付ける認証部、
をさらに有し、
前記体温履歴記憶部は、
前記検温器から受信した現在の前記被検体の体温の情報を、前記体温の計測日時と、前記複数の被検体のそれぞれに固有の認証情報と、関連付けて記憶し、
前記体調分析部は、
前記複数の被検体のそれぞれについて、前記検温器から受信した現在の体温の情報と前記体温履歴記憶部に記憶された情報とにもとづいて体調を分析する、
請求項７記載の情報処理装置。
【請求項１２】
ＵＳＢ規格およびＵＡＲＴシリアル通信規格および独自の有線信号形式からなる有線接続、ならびに、Ｂｌｕｅｔｏｏｔｈ規格およびＩＥＥＥ８０２.１１規格およびＩｒＤＡ規格および独自の無線信号形式からなる無線接続のいずれか一つによりデータ送受信可能に接続された、
請求項７記載の情報処理装置。
【請求項１３】
コンピュータに、
被検体の体温を計測するための婦人用体温計測部を有する検温器から受信した現在の前記被検体の体温の情報を前記体温の計測日時と関連付けて体温履歴情報として体温履歴記憶部に記憶させるステップと、
前記検温器から受信した現在の前記被検体の体温の情報と前記体温履歴情報とにもとづいて前記被検体の体調を分析するステップと、
前記被検体の体調に応じて他機を制御するための設定を設定記憶部に記憶させるステップと、
前記他機の利用者に対し前記被検体の体調を通知するように、前記設定記憶部に記憶された前記他機を制御するための設定と前記体調分析部により分析された前記被検体の体調とにもとづいて前記他機を制御するステップと、
を実行させるためのプログラム。
【発明の詳細な説明】
【技術分野】
【０００１】
本発明は、女性の体調を把握するための体温計、情報処理装置およびプログラムに関する。
【背景技術】
【０００２】
従来、女性の体調を体温の履歴から把握するための体温計が広く用いられている（例えば特許文献１参照）。この種の体温計は、基礎体温（就寝中（起床直後）の体温）や生理開始日などの情報にもとづいて、現在ユーザが生理開始日から数日続く低温期にあるか、排卵日を境に始まり低温期との温度差が０．３〜０．５℃ほどの高温期にあるかを判定し、排卵日や可妊期等妊娠関連の情報や次回生理開始予定日や性機能の働き等の情報を得ることができ、ユーザ本人が自身の体調変化を容易に把握することができるようになっている。
【特許文献１】特開２０００−１８５０４６号公報
【発明の開示】
【発明が解決しようとする課題】
【０００３】
女性特有の体調変化には、通常よりもイライラしがちになるなどの精神的な変化を伴うものがある。また、ユーザは、自身の女性特有の体調変化について、第３者に対して直接には伝えづらいことが多い。しかし、従来の技術では、第３者に対してユーザの体調変化を通知することについて考慮していない。このため、従来の技術を用いた体温計では、ユーザは、自身の体調変化を把握することはできるものの、第３者には体調変化が生じていることを自動的に通知することができず、女性特有の体調変化に起因する精神的な変化などに対して第３者から理解を得られずに苦しい思いを強いられる場合がある。
【０００４】
本発明は、上述した事情を考慮してなされたもので、ユーザ以外の第３者に対してユーザの体調変化を自動的に通知することができる体温計、この体温計が備える情報処理装置、およびプログラムを提供することを目的とする。
【課題を解決するための手段】
【０００５】
本発明に係る体温計は、上述した課題を解決するために、被検体の体温を計測する婦人用体温計測部を有する検温器と、この検温器と互いにデータ送受信可能に接続された情報処理装置と、を備えた体温計であって、前記情報処理装置は、さらに他の情報処理装置と互いにデータ送受信可能に接続されるとともに、前記検温器から受信した現在の前記被検体の体温の情報を前記体温の計測日時と関連付けて体温履歴情報として記憶しておく体温履歴記憶部と、前記検温器から受信した現在の前記被検体の体温の情報と前記体温履歴情報とにもとづいて前記被検体の体調を分析する体調分析部と、前記被検体の体調に応じて前記他の情報処理装置を制御するための設定を記憶した設定記憶部と、前記他の情報処理装置の利用者に対し前記被検体の体調を通知するように、前記設定記憶部に記憶された前記他の情報処理装置を制御するための設定と前記体調分析部により分析された前記被検体の体調とにもとづいて前記他の情報処理装置を制御する他者通知部と、を有することを特徴とするものである。
【０００６】
また、本発明に係る情報処理装置は、上述した課題を解決するために、被検体の体温を計測する婦人用体温計測部を有する検温器と互いにデータ送受信可能に接続されるとともに、他の情報処理装置と互いにデータ送受信可能に接続された情報処理装置であって、前記検温器から受信した現在の前記被検体の体温の情報を前記体温の計測日時と関連付けて体温履歴情報として記憶しておく体温履歴記憶部と、前記検温器から受信した現在の前記被検体の体温の情報と前記体温履歴情報とにもとづいて前記被検体の体調を分析する体調分析部と、前記被検体の体調に応じて前記他の情報処理装置を制御するための設定を記憶した設定記憶部と、前記他の情報処理装置の利用者に対し前記被検体の体調を通知するように、前記設定記憶部に記憶された前記他の情報処理装置を制御するための設定と前記体調分析部により分析された前記被検体の体調とにもとづいて前記他の情報処理装置を制御する他者通知部と、を備えたことを特徴とするものである。
【０００７】
一方、本発明に係るプログラムは、上述した課題を解決するために、コンピュータに、被検体の体温を計測するための婦人用体温計測部を有する検温器から受信した現在の前記被検体の体温の情報を前記体温の計測日時と関連付けて体温履歴情報として体温履歴記憶部に記憶させるステップと、前記検温器から受信した現在の前記被検体の体温の情報と前記体温履歴情報とにもとづいて前記被検体の体調を分析するステップと、前記被検体の体調に応じて他機を制御するための設定を設定記憶部に記憶させるステップと、前記他機の利用者に対し前記被検体の体調を通知するように、前記設定記憶部に記憶された前記他機を制御するための設定と前記体調分析部により分析された前記被検体の体調とにもとづいて前記他機を制御するステップと、を実行させるためのプログラムである。
【発明の効果】
【０００８】
本発明に係る体温計、この体温計が備える情報処理装置、およびプログラムによれば、ユーザ以外の第３者に対してユーザの体調変化を自動的に通知することができる。
【発明を実施するための最良の形態】
【０００９】
本発明に係る体温計、情報処理装置およびプログラムの実施の形態について、添付図面を参照して説明する。
【００１０】
図１は、本発明に係る体温計およびこの体温計が備える情報処理装置の第１実施形態を示す概略的な外観図である。なお、以下の説明では、本発明に係る情報処理装置として、ノートブック型のパーソナルコンピュータ（以下、サーバという）を用いる場合の一例について示した。
【００１１】
図１に示すように、体温計１０は、検温器１１と、この検温器１１と互いにデータ送受信可能に接続された情報処理装置としてのサーバ１２と、を備える。また、サーバ１２は、他の情報処理装置としてのパーソナルコンピュータ１３ａおよび１３ｂを少なくとも含む情報処理装置群（以下、ＰＣ群という）１３と互いにデータ送受信可能に接続される。
【００１２】
以下の説明では、他の情報処理装置としてのパーソナルコンピュータが１３ａおよび１３ｂの２台であり、体温計１０が、他の情報処理装置の利用者としてのパーソナルコンピュータ１３ａのユーザ（以下、他のユーザという）およびパーソナルコンピュータ１３ｂのユーザ（以下、他のユーザという）に対して、体温計１０の被検体としてのユーザの体調変化を自動的に通知する場合の例について示す。
【００１３】
パーソナルコンピュータ１３ａおよび１３ｂをはじめとするＰＣ群１３を構成するパーソナルコンピュータとしては、一般的なノートブック型のパーソナルコンピュータやデスクトップ型のパーソナルコンピュータなどを用いることができる。
【００１４】
また、サーバ１２の周囲にはサーバ１２により制御可能に有線接続または無線接続された周辺機器群１４が配設される。本実施形態において、周辺機器群１４とは、サーバ１２により制御可能に構成された電子機器群を言うものとする。以下の説明では、照明器具１５、音楽再生装置１６、空調機１７およびアロマポット１８により周辺機器群１４が構成される場合の例について示した。
【００１５】
なお、検温器１１とサーバ１２、サーバ１２とＰＣ群１３、およびサーバ１２と周辺機器群１４の相互接続および通信を無線信号により実現する場合、無線ＬＡＮやＢＬＵＥＴＯＯＴＨ（登録商標）規格の無線信号を利用してもよいし、２.４ＧＨｚ帯（ＩＳＭ帯）のＩＥＥＥ８０２.１１ｂ規格や５ＧＨｚ帯のＩＥＥＥ８０２.ａ規格に規定されている無線インタフェースや、赤外線無線インタフェースであるＩｒＤＡ（ＩｎｆｒａｒｅｄＤａｔａＡｓｓｏｃｉａｔｉｏｎ）規格の他、独自の無線信号形式を実装することとしてもよい。また、有線ケーブルや接続コネクタで実現する場合、独自の信号形式に基づくインタフェース条件や、標準化されたＵＳＢ(Universal Serial Bus)１.０／２.０規格や、ＵＡＲＴ(Universal Asynchronous Receiver Transmitter)シリアル通信などのいずれを用いてもよい。
【００１６】
なお、検温器１１とサーバ１２の相互接続および通信は、ユーザの利便性を考慮して無線信号により実現されることが好ましい。図１には、アロマポット１８のみがサーバ１２と例えばＵＳＢ規格に準拠した信号線により接続され、他の電子機器はサーバ１２と無線接続される場合の例について示した。
【００１７】
図２は、検温器１１およびサーバ１２の内部構成例を示すブロック図である。なお、以下の説明において、添え字のｍは検温器１１が備える構成であることを示し、添え字のｐはサーバ１２が備える構成であることを示す。
【００１８】
検温器１１は、婦人用体温計測部２１ｍ、表示部２２ｍ、入力部２３ｍ、ネットワーク接続部２４ｍ、主制御部２５ｍ、記憶部２６ｍ、警告部２７ｍおよびＬＥＤ２８ｍを有する。
【００１９】
婦人用体温計測部２１ｍとしては、３５℃〜３８℃の範囲で温度分解能が０．０５℃である半導体型の温度センサなどを用いることができる。婦人用体温計測部２１ｍは、ユーザの体温（基礎体温）を計測し、この計測した体温を主制御部２５ｍに与える。
【００２０】
表示部２２ｍは、たとえば液晶表示装置などにより構成され、主制御部２５ｍの制御に従って各種情報を表示する。また、入力部２３ｍは、ボタンなどにより構成され、ユーザによる検温開始指示などの情報を主制御部２５ｍに与える。
【００２１】
ネットワーク接続部２４ｍは、ネットワークの形態に応じた種々の情報通信用プロトコルを実装する。ネットワーク接続部２４ｍは、この各種プロトコルに従って検温器１１と他の電気機器とを接続する。この接続には、電子ネットワークを介した電気的な接続などを適用することができる。ここで電子ネットワークとは、電気通信技術を利用した情報通信網全般を意味し、有線／無線ＬＡＮ（Local Area Network）やインターネット網のほか、ＢＬＵＥＴＯＯＴＨ（登録商標）、電話通信回線網、光ファイバ通信ネットワーク、ケーブル通信ネットワークおよび衛星通信ネットワークなどを含む。
【００２２】
主制御部２５ｍは、ＣＰＵ、ＲＡＭおよびＲＯＭをはじめとする記憶媒体などにより構成され、この記憶媒体に記憶されたプログラムに従って、検温器１１の処理動作を制御する。
【００２３】
主制御部２５ｍのＣＰＵは、ＲＯＭをはじめとする記憶媒体に記憶されたプログラムおよびこのプログラムの実行のために必要なデータをＲＡＭへロードし、このプログラムに従って、サーバ１２とデータを送受信する。
【００２４】
主制御部２５ｍのＲＡＭは、ＣＰＵが実行するプログラムおよびデータを一時的に格納するワークエリアを提供する。また、主制御部２５ｍのＲＯＭをはじめとする記憶媒体は、プログラムや、プログラムを実行するために必要な各種データを記憶する。
【００２５】
なお、ＲＯＭをはじめとする記憶媒体は、磁気的もしくは光学的記録媒体または半導体メモリなどの、ＣＰＵにより読み取り可能な記録媒体を含んだ構成を有し、これら記憶媒体内のプログラムおよびデータの一部または全部は電子ネットワークを介してダウンロードされるように構成してもよい。
【００２６】
記憶部２６ｍは、主制御部２５ｍにより制御され、婦人用体温計測部２１ｍにより計測されたユーザの体温を計測日時と関連付けて一時的に格納するほか、サーバ１２から受けたデータを格納する。
【００２７】
警告部２７ｍは、いわゆるアラーム機能を実現するための部材であり、アラームが音声による場合はスピーカにより構成され、点滅や点灯などの発光による場合は発光部材により構成され、振動による場合はモータなどにより構成される。もちろん、警告部２７ｍは、スピーカ、発光部およびモータを適宜組み合わせた構成としてもよい。
【００２８】
この警告部２７ｍは、サーバ１２の主制御部３４ｐにより制御される。具体的には、ユーザがサーバ１２の入力部３２ｐを介してアラーム時刻を設定すると、このアラーム時刻の情報が主制御部３４ｐからネットワーク接続部３３ｐおよびネットワーク接続部２４ｍを介して警告部２７ｍに与えられる。警告部２７ｍは、このアラーム時刻の情報にもとづいてアラーム機能を実現する。基礎体温は、毎日定時に計測されることが好ましい。ユーザは、この警告部２７ｍのアラーム機能を利用することにより容易に毎日定時に基礎体温を計測することができるようになる。
【００２９】
ＬＥＤ２８ｍは、ユーザにより入力部２３ｍを介して指示を受けて発光する。基礎体温の測定は起床直後に行われることが多く、ユーザは暗い中で枕もとの検温器１１を探す必要に迫られる場合が少なくない。ＬＥＤ２８ｍの発光機能によれば、ユーザは暗い中でも容易に検温器１１を見つけることができる。また、このＬＥＤ２８ｍは、警告部２７ｍのアラーム機能が実現されるとそれに連動してＯＮとなるよう構成されてもよい。
【００３０】
一方、サーバ１２は、図２に示すように、表示部３１ｐ、入力部３２ｐ、ネットワーク接続部３３ｐ、主制御部３４ｐ、体温履歴記憶部３５ｐおよび設定記憶部３６ｐを有する。
【００３１】
表示部３１ｐは、たとえば液晶ディスプレイやＯＬＥＤ（Organic Light Emitting Diode）ディスプレイなどの一般的な表示出力装置により構成され、主制御部３４ｐの制御に従って各種情報を表示する。
【００３２】
入力部３２ｐは、たとえばキーボード、タッチパネル、テンキーなどの一般的な入力装置により構成され、ユーザの操作に対応した操作入力信号を主制御部３４ｐに出力する。
【００３３】
ネットワーク接続部３３ｐは、ネットワークの形態に応じた種々の情報通信用プロトコルを実装する。ネットワーク接続部３３ｐは、この各種プロトコルに従ってサーバ１２と他の電気機器とを接続する。この接続には、電子ネットワークを介した電気的な接続などを適用することができる。ここで電子ネットワークとは、電気通信技術を利用した情報通信網全般を意味し、有線／無線ＬＡＮ（Local Area Network）やインターネット網のほか、ＢＬＵＥＴＯＯＴＨ（登録商標）、電話通信回線網、光ファイバ通信ネットワーク、ケーブル通信ネットワークおよび衛星通信ネットワークなどを含む。
【００３４】
主制御部３４ｐは、ＣＰＵ、ＲＡＭおよびＲＯＭをはじめとする記憶媒体などにより構成され、この記憶媒体に記憶されたプログラムに従って、サーバ１２の処理動作を制御する。
【００３５】
主制御部３４ｐのＣＰＵは、ＲＯＭをはじめとする記憶媒体に記憶されたプログラムおよびこのプログラムの実行のために必要なデータをＲＡＭへロードし、このプログラムに従って、検温器１１から受けたユーザの体温の情報にもとづいてユーザの体調変化を分析し、ユーザの体調に応じてパーソナルコンピュータ１３ａおよび１３ｂを制御して他のユーザに対してユーザの体調変化を自動的に通知するとともに、ユーザの体調に応じて周辺機器群１４および自機を制御してユーザの気分を変化させる処理を実行する。
【００３６】
主制御部３４ｐのＲＡＭは、ＣＰＵが実行するプログラムおよびデータを一時的に格納するワークエリアを提供する。また、主制御部３４ｐのＲＯＭをはじめとする記憶媒体は、サーバ１２の起動プログラムや、プログラムを実行するために必要な各種データを記憶する。
【００３７】
なお、ＲＯＭをはじめとする記憶媒体は、磁気的もしくは光学的記録媒体または半導体メモリなどの、ＣＰＵにより読み取り可能な記録媒体を含んだ構成を有し、これら記憶媒体内のプログラムおよびデータの一部または全部は電子ネットワークを介してダウンロードされるように構成してもよい。
【００３８】
体温履歴記憶部３５ｐは、検温器１１から現在のユーザの体温の情報を取得し、受信した現在のユーザの体温の情報を体温の計測日時と関連付けて体温履歴情報として記憶しておく。
【００３９】
この体温履歴情報は、ユーザ自身の体調の履歴と深い関係にあるため、ユーザが容易に確認可能であることが好ましい。このため、主制御部３４ｐは、ユーザにより入力部３２ｐまたは入力部２３ｍを介してこの情報の検温器１１への転送指示を受け、検温器１１に送信する。検温器１１は、この体温履歴情報を受信し、記憶部２６ｍに格納する。この結果、ユーザは、検温器１１の表示部に体温履歴情報を表示させていつでも確認することができる。
【００４０】
続いて、設定記憶部３６ｐに記憶される設定情報について説明する。
【００４１】
図３は、女性の基礎体温変化とホルモンの変化との関係を示す説明図である。なお、基礎体温は人間が生きていく上で最低限必要な体温であり、一般に、起床してすぐにほとんど身体を動かすことなく計測した体温をいう。
【００４２】
図３に示すように、基礎体温の増減は、卵胞ホルモン（エストロゲン）と黄体ホルモン（プロゲステロン）という２種類の女性ホルモンの増減によって周期的に変動する。健康な女性の基礎体温は、体温の低い低温期（月経および卵胞期）と、体温の高い高温期（黄体期、ＰＭＳ期）との２つに大きく分けることができる。排卵から月経が始まるまでの高温期は、特にＰＭＳ（Pre-Menstrual Syndrome：月経前症候群）と呼ばれ、体調変化および精神的な変化が生じることが知られている。
【００４３】
図４は、ＰＭＳ期に起こる身体的および精神的症状の一例を示す説明図である。
【００４４】
図４に示すように、ＰＭＳ期においては、ユーザは女性特有の体調変化に起因する精神的な変化をきたす場合がある。このため、ＰＭＳ期にあるときにはユーザは通常よりも休養や気分転換を必要とする場合が多い。したがって、ＰＭＳ期の開始時期を知ることはユーザにとって重要である。
【００４５】
基礎体温は、図３に示すように、月経後しばらく低温期が続き、低温期から高温期への移行期に排卵がなされて、その後高温期がつづき、次の月経がはじまる前後に再び低温期に向けて下降する周期を繰り返す。このため、体調がほぼ一定であれば、体温の履歴情報からユーザ固有の周期パターンを取得することができ、この周期パターンにもとづいて次の排卵日、ＰＭＳ期、月経期などをおおよそ予測することが出来る。また、高温期が１５〜１６日以上続く場合には妊娠している可能性が高いことが知られている。このため、体温の履歴情報から、妊娠時期を知ることができる。
【００４６】
そこで、ユーザは、ユーザの体調に応じて主制御部３４ｐに自機、パーソナルコンピュータ１３ａおよび１３ｂならびに周辺機器群１４を制御させるための各種設定をあらかじめ行っておくとよい。
【００４７】
図５は、設定記憶部３６ｐに記憶される設定情報の一部の一例を示す説明図である。
【００４８】
図５に示すように、設定記憶部３６ｐは、入力部を介してユーザにより入力された情報にもとづいて、または初期設定情報にもとづいて、ユーザの体調に応じてパーソナルコンピュータ１３ａおよび１３ｂを制御して他のユーザに対してユーザの体調を通知するための設定と、ユーザの体調に応じて周辺機器群１４および自機を制御してユーザの気分を変化させるための設定とを記憶する。
【００４９】
パーソナルコンピュータ１３ａおよび１３ｂに対する設定としては、たとえば、定型メッセージを送信するか否かの設定や、パーソナルコンピュータ１３ａおよび１３ｂの表示部の壁紙を自動的に変更するよう制御するか否かの設定などが挙げられる。主制御部３４ｐは、この設定およびユーザの現在の体調に応じて、パーソナルコンピュータ１３ａおよび１３ｂを制御する。この結果、ユーザは、他のユーザに現在の自身の体調を自動的に知ってもらうことができる。なお、定型メッセージの内容は、他のユーザに現在のユーザの体調を自動的に知ってもらうことができる内容であればよく、たとえばユーザの体調の分析結果を内容とするメッセージでもよいし、体温データそのものを内容とするメッセージでも構わない。
【００５０】
自機に対する設定としては、表示部３１ｐの背景、壁紙、色および輝度を制御するための設定などが挙げられる。主制御部３４ｐは、この設定およびユーザの体調に応じて自機の表示部３１ｐを制御することによりユーザの気分転換を支援する。
【００５１】
自機に対する設定には、自機のメールアプリケーションプログラムで用いられるフォントを変更する自機を制御する設定が含まれる。このフォントの変更によれば、自機から電子メールを送信された全ての他機の利用者に対し、結果としてユーザの体調を自動的に通知することになる。
【００５２】
周辺機器群１４に対する設定としては、照明器具１５の明るさに関する設定や、音楽再生装置１６の曲目に関する設定や、空調機１７の強さに関する設定や、アロマポット１８のＯＮ／ＯＦＦに関する設定などが挙げられる。主制御部３４ｐは、この設定およびユーザの体調に応じて周辺機器群１４を制御することによりユーザの気分転換を支援する。
【００５３】
なお、主制御部３４ｐは、ユーザの現在の体調ではなく数日後の体調変化を予測して、この予測される体調変化に応じてパーソナルコンピュータ１３ａおよび１３ｂなどを制御してもよい。この場合、ユーザは、数日後に起こりうる自身の体調変化を知ることができるとともに、この体調変化を他のユーザに自動的にあらかじめ知っておいてもらうことができる。
【００５４】
また、基礎体温変化がユーザ固有の周期パターンから外れた場合には何らかの病である可能性があり、この場合、ユーザ自身および他のユーザに早急にその旨が知覚されることが重要である。そこで、設定記憶部３６ｐには、基礎体温変化がユーザ固有の周期パターンから外れた場合に主制御部によりパーソナルコンピュータ１３ａおよび１３ｂ、自機ならびに周辺機器群１４を制御させるための設定をさらに記憶させておいてもよい。
【００５５】
図６は、主制御部３４ｐによる機能実現部の構成例を示す概略的なブロック図である。なお、この機能実現部は、ＣＰＵを用いることなく回路などのハードウエアロジックによって構成してもよい。
【００５６】
主制御部３４ｐのＣＰＵは、主制御部３４ｐのＲＯＭをはじめとする記憶媒体に記憶されたプログラムによって、少なくとも体温データ受信部４１、体調分析部４２、他者通知部４３、自機制御部４４および周辺機器制御部４５として機能する。この各部４１〜４５は、ＲＡＭの所要のワークエリアを、データの一時的な格納場所として利用する。
【００５７】
体温データ受信部４１は、ネットワーク接続部３３ｐを介してユーザの現在の基礎体温の情報と計測日時の情報とを検温器１１から受信し、この情報を体温履歴記憶部３５ｐに記憶させるとともに、体調分析部４２に与える。
【００５８】
体調分析部４２は、現在のユーザの基礎体温の情報と体温履歴記憶部３５ｐに記憶されている体温履歴情報とにもとづいてユーザの体調を分析し（図３参照）、現在ユーザが図５の最も左の列に挙げた時期にさしかかっているか否かを判定する。
【００５９】
他者通知部４３は、設定記憶部３６ｐに記憶されたパーソナルコンピュータ１３ａおよび１３ｂに対する設定にもとづいて、ユーザの現在の体調に応じてパーソナルコンピュータ１３ａおよび１３ｂを制御する。
【００６０】
自機制御部４４は、設定記憶部３６ｐに記憶された自機に対する設定にもとづいて、ユーザの体調に応じて自機の表示部を制御することによりユーザの気分転換を支援する。
【００６１】
周辺機器制御部４５は、設定記憶部３６ｐに記憶された周辺機器群１４に対する設定にもとづいて、ユーザの体調に応じて周辺機器群１４を制御することによりユーザの気分転換を支援する。
【００６２】
次に、本実施形態に係る体温計１０およびこの体温計１０が備える情報処理装置の動作の一例について説明する。
【００６３】
図７は、主制御部２５ｍおよび主制御部３４ｐにより、ユーザの体調に応じてパーソナルコンピュータ１３ａおよび１３ｂを制御して他のユーザに対してユーザの体調変化を自動的に通知するとともに、ユーザの体調に応じて周辺機器群１４および自機を制御してユーザの気分を変化させる際の手順を示すフローチャートである。図７において、Ｓに数字を付した符号は、フローチャートの各ステップを示す。
【００６４】
この手順は、あらかじめ設定記憶部３６ｐに図５に示した各種設定が記憶されてスタートとなる。
【００６５】
まず、ステップＳ１において、婦人用体温計測部２１ｍは、ユーザの基礎体温を計測し、この計測した現在の基礎体温を主制御部２５ｍに与える。
【００６６】
次に、ステップＳ２において、主制御部２５ｍは、ネットワーク接続部２４ｍを介してユーザの現在の基礎体温の情報と計測日時の情報とをサーバ１２に与える。
【００６７】
次に、ステップＳ３において、主制御部３４ｐの体温データ受信部４１は、ネットワーク接続部３３ｐを介してユーザの現在の基礎体温の情報と計測日時の情報とを受信し、この情報を体温履歴記憶部３５ｐに記憶させるとともに、体調分析部４２に与える。
【００６８】
次に、ステップＳ４において、体調分析部４２は、現在のユーザの基礎体温の情報と体温履歴記憶部３５ｐに記憶されている体温履歴情報とにもとづいてユーザの体調を分析し（図３参照）、現在ユーザが図５の最も左の列に挙げた時期（以下、注目時期という）のいずれかにあるか否かを判定する。現在ユーザが注目時期のいずれかにある場合は、ステップＳ５に進む。一方、いずれの時期にもない場合は、ステップＳ３に戻る。
【００６９】
次に、ステップＳ５において、他者通知部４３は、設定記憶部３６ｐに記憶されたパーソナルコンピュータ１３ａおよび１３ｂに対する設定にもとづいて、ユーザの現在の体調に応じてパーソナルコンピュータ１３ａおよび１３ｂを制御する。たとえば、ユーザが現在ＰＭＳ期にある場合、他者通知部４３は、パーソナルコンピュータ１３ａに定型メッセージを送信するとともに、パーソナルコンピュータ１３ａの表示部の壁紙を自動的に変更する。
【００７０】
次に、ステップＳ６において、自機制御部４４は、設定記憶部３６ｐに記憶された自機に対する設定にもとづいて、ユーザの体調に応じて自機の表示部を制御することによりユーザの気分転換を支援する。たとえば、ユーザが現在ＰＭＳ期にある場合、自機制御部４４は、自機の表示部３１ｐの壁紙および輝度を変更する。
【００７１】
次に、ステップＳ７において、周辺機器制御部４５は、設定記憶部３６ｐに記憶された周辺機器群１４に対する設定にもとづいて、ユーザの体調に応じて周辺機器群１４を制御することによりユーザの気分転換を支援する。たとえば、ユーザが現在ＰＭＳ期にある場合、周辺機器制御部４５は、照明器具１５を制御しての明るさを変更するとともにアロマポット１８の電源をＯＮにする。
【００７２】
以上の手順により、ユーザの体調に応じてパーソナルコンピュータ１３ａおよび１３ｂを制御して他のユーザに対してユーザの体調変化を自動的に通知するとともに、ユーザの体調に応じて周辺機器群１４および自機を制御してユーザの気分を変化させることができる。
【００７３】
本実施形態に係る体温計１０およびこの体温計１０が備えるサーバ１２によれば、ユーザの体調に応じてパーソナルコンピュータ１３ａおよび１３ｂを制御することにより、他のユーザに対してユーザの体調を自動的に通知することができる。このため、女性特有の体調変化に起因する精神的な変化などに対して、周囲の人に特に会話することなく理解を得ることができる。
【００７４】
また、本実施形態に係る体温計１０およびこの体温計１０が備えるサーバ１２によれば、ユーザの体調に応じて自機の表示部３１ｐを制御することによりユーザの気分転換を支援することができる。さらに、ユーザの体調に応じて周辺機器群１４を制御することによりユーザの気分転換を支援することができる。
【００７５】
また、検温器１１とサーバ１２との相互接続を無線接続とする場合、検温時における配線の煩わしさを無くすことができる。
【００７６】
また、サーバ１２の体温履歴記憶部３５ｐから検温器１１の記憶部２６ｍに対して体温履歴情報を転送することができる。このため、例えば前月のデータを検温器１１の表示部２２ｍを介して確認することにより、ユーザは今月の排卵日などを容易に予測することができる。
【００７７】
また、検温器１１のアラーム機能を実現させる時刻をサーバ１２を介して容易に設定することができるため、ユーザは容易に毎日定時に基礎体温を計測できる。
【００７８】
また、検温器１１にはＬＥＤ２８ｍが備えられているため、起床直後の環境光が暗い中でも容易に検温器１１を探すことができる。
【００７９】
図８は、本発明に係る体温計１０およびこの体温計１０が備える情報処理装置の第２実施形態を示す概略的な外観図である。この第２実施形態に示す体温計１０Ａは、第１実施形態におけるサーバ１２と同一の構成を有する情報処理装置を複数備える点で第１実施形態に係る体温計１０と異なる。他の構成および作用については図１に示す体温計１０と実質的に異ならないため、同じ構成には同一符号を付して説明を省略する。
【００８０】
なお、本実施形態においては、図８に示すように、体温計１０Ａが第１実施形態におけるサーバ１２と同一の構成を有する情報処理装置としてノートブック型のパーソナルコンピュータ（以下、ノートＰＣという）１２Ａ１、デスクトップ型のパーソナルコンピュータ（以下、デスクトップＰＣという）１２Ａ２および携帯電話機１２Ａ３の３台を備える場合の例について説明する。
【００８１】
本実施形態に係る体温計１０Ａは、第１実施形態に係る体温計１０と同様の作用効果を奏する。また、本実施形態に係る体温計１０Ａの検温部は、ノートＰＣ１２Ａ１、デスクトップＰＣ１２Ａ２および携帯電話機１２Ａ３のいずれに対しても体温の情報を送信するとともに、これらのいずれからも体温履歴情報を転送される。
【００８２】
このため、ユーザは好きな場所で好きなときに体温履歴情報を利用することができ、大変便利である。また、本実施形態に係る情報処理装置の一つに病院に設置されたパーソナルコンピュータが含まれ、かつ検温器１１と無線通信可能に構成される場合、ユーザは、病院に検温器１１のみを持参し、体温履歴情報を病院のパーソナルコンピュータに転送することで、容易に医師に対して自身の体温履歴情報を提示することができる。
【００８３】
図９は、本発明に係る体温計１０およびこの体温計１０が備える情報処理装置の第３実施形態を示す概略的な外観図である。この第３実施形態に示す体温計１０Ｂは、検温器１１が認証部５０ｍを備える点で第１実施形態に係る体温計１０と異なる。図１に示す体温計１０と実質的に異ならない構成および作用については同一符号を付して説明を省略する。また、図１０は、第３実施形態に係る検温部１１およびサーバ１２の内部構成例を示すブロック図である。図２に示す検温部１１およびサーバ１２と実質的に異ならない構成および作用については同一符号を付して説明を省略する。
【００８４】
図１０に示すように、検温器１１は、婦人用体温計測部２１ｍ、表示部２２ｍ、入力部２３ｍ、ネットワーク接続部２４ｍ、主制御部２５ｍ、記憶部２６ｍ、警告部２７ｍ、ＬＥＤ２８ｍおよび認証部５０ｍを有する。この検温器１１は、複数のユーザにより共用される。
【００８５】
認証部５０ｍは、主制御部２５ｍにより制御されて、婦人用体温計測部２１ｍによる体温の計測前に、たとえば指紋認証方式や虹彩認証方式などにより利用者の認証を行う。各ユーザの認証情報は、ユーザ情報と関連付けてあらかじめ記憶部２６ｍに格納しておく。認証がＯＫであると、主制御部２５ｍは、婦人用体温計測部２１ｍに対して体温の計測許可を与える。
【００８６】
主制御部３４ｐの体温データ受信部４１は、ネットワーク接続部３３ｐを介してユーザの現在の基礎体温の情報と計測日時の情報とユーザ情報とを検温器１１から受信し、この情報を体温履歴記憶部３５ｐに記憶させるとともに、体調分析部４２に与える。そして、体調分析部４２は、ユーザ情報ごとに、の基礎体温の情報と体温履歴記憶部３５ｐに記憶されている体温履歴情報とにもとづいてユーザの体調を分析する。また、設定記憶部は、ユーザ情報ごとに図５に示した設定情報を記憶しておく。
【００８７】
本実施形態に係る体温計１０Ｂは、第１実施形態に係る体温計１０と同様の作用効果を奏する。また、本実施形態に係る体温計１０Ｂによれば、一つの検温器１１を複数のユーザで共用することができるため、大変便利である。
【００８８】
なお、検温器１１がサーバ１２に対して複数接続されてもよい。この場合、サーバ１２は、たとえば各検温器１１のＢｌｕｅｔｏｏｔｈデバイスアドレス（ＢＤ＿ＡＤＤＲ）により各検温器１１を識別し、このＢＤ＿ＡＤＤＲごとに体温履歴情報を管理するようにするとよい。この場合において、検温器１１には認証部５０は不要である。
【００８９】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせても良い。
【００９０】
また、本発明の実施形態では、フローチャートの各ステップは、記載された順序に沿って時系列的に行われる処理の例を示したが、必ずしも時系列的に処理されなくとも、並列的あるいは個別実行される処理をも含むものである。
【図面の簡単な説明】
【００９１】
【図１】本発明に係る体温計およびこの体温計が備える情報処理装置の第１実施形態を示す概略的な外観図。
【図２】第１実施形態に係る検温器およびサーバの内部構成例を示すブロック図。
【図３】女性の基礎体温変化とホルモンの変化との関係を示す説明図。
【図４】ＰＭＳ期に起こる身体的および精神的症状の一例を示す説明図。
【図５】設定記憶部に記憶される設定情報の一部の一例を示す説明図。
【図６】サーバの主制御部による機能実現部の構成例を示す概略的なブロック図。
【図７】検温器の主制御部およびサーバの主制御部により、ユーザの体調に応じて他の情報処理装置を制御して他のユーザに対してユーザの体調変化を自動的に通知するとともに、ユーザの体調に応じて周辺機器群および自機を制御してユーザの気分を変化させる際の手順を示すフローチャート。
【図８】本発明に係る体温計およびこの体温計が備える情報処理装置の第２実施形態を示す概略的な外観図。
【図９】本発明に係る体温計およびこの体温計が備える情報処理装置の第３実施形態を示す概略的な外観図。
【図１０】第３実施形態に係る検温部およびサーバの内部構成例を示すブロック図。
【符号の説明】
【００９２】
１０、１０Ａ、１０Ｂ  体温計
１１  検温器
１２、１２Ａ１、１２Ａ２、１２Ａ３  サーバ（情報処理装置）
１３  ＰＣ群
１３ａ、１３ｂ  パーソナルコンピュータ（他の情報処理装置）
１４  周辺機器群
１５  照明器具
１６  音楽再生装置
１７  空調機
１８  アロマポット
２１ｍ  婦人用体温計測部
２２ｍ  表示部
２３ｍ  入力部
２４ｍ  ネットワーク接続部
２５ｍ  主制御部
２６ｍ  記憶部
２７ｍ  警告部
２８ｍ  ＬＥＤ
３１ｐ  表示部
３２ｐ  入力部
３３ｐ  ネットワーク接続部
３４ｐ  主制御部
３５ｐ  体温履歴記憶部
３６ｐ  設定記憶部
４１  体温データ受信部
４２  体調分析部
４３  他者通知部
４４  自機制御部
４５  周辺機器制御部
５０  認証部
【図１】
2010148689.tif 000003
【図２】
2010148689.tif 000004
【図３】
2010148689.tif 000005
【図４】
2010148689.tif 000006
【図５】
2010148689.tif 000007
【図６】
2010148689.tif 000008
【図７】
2010148689.tif 000009
【図８】
2010148689.tif 000010
【図９】
2010148689.tif 000011
【図１０】
2010148689.tif 000012